(57)【特許請求の範囲】
【請求項１】
建物外装面を構成する外装パネルに既設鋼板を介して貼着された既設防水シートに対し、新規防水シートを重ね貼りする防水改修方法であって、
前記既設防水シートを介して前記既設鋼板と重なるように、前記既設防水シートの表面に対して新規鋼板を当接させる工程と、
前記新規鋼板を当接させる工程の後に、ネジを用いて前記既設鋼板と前記新規鋼板とを結合する工程と、
前記結合する工程の後に、前記ネジの頭部を覆うように新規防水シートを重ね貼りする工程と、を含み、
前記建物外装面は、外部床の周縁部に沿って立ち上がった立ち上がり面であって、
前記立ち上がり面には、前記周縁部に沿って延在すると共に、底面及び側面を有する溝部が形成されており、
前記既設鋼板は、前記溝部の前記底面に当接する第一片と、前記第一片の一端から屈曲して立ち上がり、前記溝部の前記側面に当接する第二片と、前記第一片の他端から前記第二片が屈曲する方向とは反対側に屈曲して前記立ち上がり面に当接する第三片と、を有し、
前記新規鋼板は、第四片と、前記第四片の一端から屈曲する第五片と、を有し、
前記新規鋼板を当接させる工程において、
前記新規鋼板の前記第四片を、前記既設鋼板の前記第一片に当接させると共に、前記新規鋼板の前記第五片を、前記既設防水シートを介して前記既設鋼板の前記第三片と重なるように前記既設防水シートの前記表面に当接させる防水改修方法。
【請求項２】
前記結合する工程において、前記ネジの先端部が前記既設鋼板を貫通するまで、前記ネジの頭部に打撃を加える、請求項１に記載の防水改修方法。
【請求項３】
建物外装面を構成する外装パネルに既設鋼板を介して貼着された既設防水シートに対し、新規防水シートが重ね貼りされた防水改修構造であって、
前記既設防水シートを介して前記既設鋼板と重なるように、前記既設防水シートの表面に対して当接された新規鋼板と、
前記既設鋼板と前記新規鋼板とを結合するネジと、
前記既設防水シートに対し、前記ネジの頭部を覆うように重ね貼りされた新規防水シートと、を備え、
前記建物外装面は、外部床の周縁部に沿って立ち上がった立ち上がり面であって、
前記立ち上がり面には、前記周縁部に沿って延在すると共に、底面及び側面を有する溝部が形成されており、
前記既設鋼板は、前記溝部の前記底面に当接する第一片と、前記第一片の一端から屈曲して立ち上がり、前記溝部の前記側面に当接する第二片と、前記第一片の他端から前記第二片が屈曲する方向とは反対側に屈曲して前記立ち上がり面に当接する第三片と、を有し、
前記新規鋼板は、第四片と、前記第四片の一端から屈曲する第五片と、を有し、
前記新規鋼板の前記第四片は、前記既設鋼板の前記第一片に当接すると共に、前記新規鋼板の前記第五片は、前記既設防水シートを介して前記既設鋼板の前記第三片と重なるように前記既設防水シートの前記表面に当接している、防水改修構造。
【発明の詳細な説明】
【技術分野】
【０００１】
本発明は、防水改修方法及び防水改修構造に関する。
【背景技術】
【０００２】
従来の防水構造として、例えば特許文献１に記載されているように、防水下地であるコンクリートスラブに対して固定板が配置され、当該固定板の上に防水シートが固定された構造が知られている。固定板の所定の位置には、ネジを挿通する通し孔が形成されている。
【先行技術文献】
【特許文献】
【０００３】
【特許文献１】特開２０１１−５２３９４号公報
【発明の概要】
【発明が解決しようとする課題】
【０００４】
上記従来の防水構造において、防水改修を行う場合には、既設の防水シートを介して既設の固定板の上に新規の固定板を重ねて配設し、当該新規の固定板の上方に新規の防水シートを重ね貼りすることがある。新規の固定板をネジ等で固定する際、例えば既設の固定板に予め形成された通し孔に挿通されたネジ等との干渉を避けるため、新規の固定板では、既設の固定板のネジ等とはずれた位置に設けられた通し孔を使用したり、別途、現場加工で新たな通し孔を設けたりする等の工夫をしなければ、新規の固定板の強固な固定は難しく、施工性が低下し易い。
【０００５】
本発明は、新規の固定板の強固な固定と施工性の向上とを両立する防水改修方法及び防水改修構造を提供することを目的とする。
【課題を解決するための手段】
【０００６】
上記課題を解決するため、本発明は、建物外装面を構成する外装パネルに既設鋼板を介して貼着された既設防水シートに対し、新規防水シートを重ね貼りする防水改修方法であって、既設防水シートを介して既設鋼板と重なるように、既設防水シートの表面に対して新規鋼板を当接させる工程と、新規鋼板を当接させる工程の後に、ネジの先端部が新規鋼板を貫通してネジが既設鋼板に螺合可能となる位置までネジの頭部に打撃を加える工程と、打撃を加える工程の後に、ネジを回転させて締め込む工程と、ネジを回転させて締め込む工程の後に、ネジの頭部を覆うように新規防水シートを重ね貼りする工程と、を含む。
【０００７】
本発明に係る防水改修方法では、ネジの頭部に打撃を加え、ネジが既設鋼板に螺合可能となる位置まで到達させ、その後、ネジを回転して締め込むため、既設鋼板に対しネジの先端部が横滑りし難く、従来よりも施工の手間をかけずに既設鋼板に新規鋼板を固定することができる。さらに、ネジと既設鋼板とが互いに噛み合うように固定されるので、強固な固定を実現し易い。従って、この防水改修方法によれば、既設鋼板に対する新規鋼板の強固な固定と施工性の向上とを両立し易くなる。
【０００８】
本発明の打撃を加える工程において、ネジの先端部が既設鋼板を貫通するまで、ネジの頭部に打撃を加えてもよい。この場合、貫通によって先端部が既設鋼板に保持された状態となり、既設鋼板に対しネジの先端部がより横滑りし難いので、施工性の向上に有利である。
【０００９】
本発明に係る防水改修方法では、建物外装面は、外部床の周縁部に沿って立ち上がった立ち上がり面であって、立ち上がり面には、周縁部に沿って延在すると共に、底面及び側面を有する溝部が形成されており、既設鋼板は、溝部の底面に当接する第一片と、第一片の一端から屈曲して立ち上がり、溝部の側面に当接する第二片と、第一片の他端から第二片が屈曲する方向とは反対側に屈曲して立ち上がり面に当接する第三片と、を有し、新規鋼板は、第四片と、第四片の一端から屈曲する第五片と、を有し、新規鋼板を当接させる工程において、新規鋼板の第四片を、既設鋼板の第一片に当接させると共に、新規鋼板の第五片を、既設防水シートを介して既設鋼板の第三片と重なるように既設防水シートの表面に当接させてもよい。この場合、新規鋼板の第四片が、溝部の底面に当接する既設鋼板の第一片に当接されることにより、既設鋼板の第一片を介し、床下地の周縁部に沿って延在する溝部の底面に係止される。この状態となった後で、ネジの頭部に打撃が加えられるため、打撃により新規鋼板の位置が鉛直方向にずれることを防止することができ、精度良く新規鋼板を固定することができる。
【００１０】
また、本発明は、建物外装面を構成する外装パネルに既設鋼板を介して貼着された既設防水シートに対し、新規防水シートが重ね貼りされた防水改修構造であって、既設防水シートを介して既設鋼板と重なるように、既設防水シートの表面に対して当接された新規鋼板と、既設鋼板と新規鋼板とを結合するネジと、既設防水シートに対し、ネジの頭部を覆うように重ね貼りされた新規防水シートと、を備え、ネジは、既設鋼板を貫通した先端部と、既設鋼板に螺合する軸部と、既設鋼板と螺合可能となる位置まで打撃を加えられた頭部と、を有する。
【００１１】
この防水改修構造は、上述の防水改修方法によって実現でき、施工性の向上を実現した結果であると共に、既設鋼板に対する新規鋼板の強固な固定を実現できる。
【発明の効果】
【００１２】
本発明によれば、既設鋼板に対する新規鋼板の強固な固定と施工性の向上とを両立し易くなる。
【図面の簡単な説明】
【００１３】
【図１】本発明の一実施形態に係る防水改修方法によって防水改修される前の既設の防水構造の断面図である。
【図２】本発明の一実施形態に係る防水改修方法によって防水改修された後の改修構造の断面図である。
【図３】図１の既設の防水構造に対して防水改修を行う工程を示す概念図である。
【図４】図１の既設の防水構造に対して防水改修を行う工程を示す概念図である。
【図５】ネジが既設鋼板に対して螺合可能となる位置の一例を示す概念図である。
【発明を実施するための形態】
【００１４】
以下、添付図面を参照して、本発明の実施形態について詳細に説明する。なお、以下の説明において、同一要素又は同一機能を有する要素には、同一符号を用いることとし、重複する説明は省略する。
【００１５】
本実施形態に係る防水改修方法は、例えばＡＬＣパネル等の外装パネルで外壁を構成した鉄骨住宅に適用される。本実施形態に係る防水改修方法は、建物外装面を構成するＡＬＣパネルに既設鋼板を介して貼着された既設防水シートに対し、新規防水シートを重ね貼りする防水改修方法である。
【００１６】
まず、図１〜図４を参照して、本実施形態に係る防水改修方法によって防水改修される前の既設の防水構造１と、本実施形態に係る防水改修方法によって防水改修された後の防水改修構造１Ａについて説明する。なお、図３の（ａ）は、図１の既設の防水構造の一部を拡大して示しており、図４の（ｆ）は、図２の防水改修構造の一部を拡大して示している。
【００１７】
まず、図１を参照して、改修前の既設の防水構造１について説明する。図１に示すように、防水構造１は、ベランダ又は陸屋根等の建物の外部床２の周縁部２ａに沿って立ち上がるパラペット３に、既設防水シート２０が配設された構造である。
【００１８】
防水構造１は、外部床２と、パラペット３と、既設防水シート２０とを有している。外部床２は、鉄骨梁９によって支持された床下地４と、床下地４上で二層に敷設された断熱材１１，１２と、断熱材１２上に敷設された断熱材押さえ板１３と、を有している。
【００１９】
床下地４は、平坦な面を有している。床下地４は、外部床２の自重、又は外部床２に作用する積載荷重等を受けて、鉄骨梁９を含む架構へ伝達する。床下地４は、例えば断面Ｈ字状の鉄骨梁９に架け渡された複数の床パネル６と、パラペット３を構成する外壁パネル１０と床パネル６との間の隙間に充填された目地モルタル８と、を含んで構成されている。目地モルタル８は、床下地４の周縁部に対応する。床パネル６は、例えばＡＬＣ（軽量気泡コンクリート）パネルである。床パネル６は、長方形状を有している。床パネル６の内部の略直方体状の領域６ａ（図１のに点鎖線参照）が、上下二段に配設された井桁状の補強鉄筋で囲まれている。
【００２０】
断熱材１１，１２は、建物内の温熱環境を改善する機能を有する。断熱材１１，１２は、板状に形成された発泡プラスチック系の断熱材である。断熱材１１，１２は、例えば、フェノールフォーム、ポリスチレンフォーム、又はポリエチレンフォーム等によって形成される。断熱材１１，１２は、床下地４に対して略全面的に敷設されている。断熱材１１，１２は、ネジ１６によって床下地４に対し固定されている。
【００２１】
断熱材押さえ板１３は、断熱材１１，１２を押さえると共に、既設防水シート２０を固定するための下地である。断熱材押さえ板１３としては、各種の材料を用いることができる。断熱材押さえ板１３としては、粘りがあり、面剛性の高い材料が適している。これは、負圧が作用する等によって断熱材押さえ板１３に対し上向きの力が作用した場合に、ネジによって固定された部分が破壊されること（ネジ抜け）を抑制するためである。断熱材押さえ板１３は、断熱材１２の上面に略全面的に敷設されている。断熱材押さえ板１３は、ネジ１６によって床下地４に対し固定されているため、断熱材１２と断熱材押さえ板１３との間には、接着剤は用いられていない。
【００２２】
パラペット３は、外部床２の周縁部２ａの下方に位置する鉄骨梁９及び目地モルタル８に沿って起立した外壁パネル１０により構成されている。外壁パネル１０は、例えばＡＬＣ（軽量気泡コンクリート）パネルである。外壁パネル１０は、外部床２の上方に一定の長さで突出している。パラペット３は、床下地４の周縁部に位置する目地モルタル８に沿って立ち上がった内側面３ａ（立ち上がり面）を有している。
【００２３】
パラペット３の内側面３ａには、外部床２の上面から所定の高さ位置において、床下地４の周縁部に沿って水平方向に延在する溝部５が形成されている。溝部５は、内側面３ａが断面略コ字状に切り欠かれて形成されている。パラペット３の内側面３ａには、溝部５に沿うように、断面略Ｚ字状を有する既設鋼板１８が配設されている。また、溝部５には、ポリウレタン系等の粘性材料で形成されたシーリング７が打設されている。なお、溝部５付近の構成の詳細は、図３の（ａ）を参照して後述する。
【００２４】
既設防水シート２０は、外部床２の全面を覆うと共に、外部床２の周縁からパラペット３の内側面３ａにおける所定の高さまでを覆っている。所定の高さとは、例えば内側面３ａにおける溝部５の近傍の高さである。これにより、既設防水シート２０は、外部床２の防水層を形成している。既設防水シート２０は、例えば塩化ビニルシート、加硫ゴムシート、アスファルトシート、又はオレフィンシート等により形成されている。
【００２５】
既設防水シート２０の端部２０ａは、溝部５に配設された既設鋼板１８と固定されており、既設鋼板１８は、後述のネジ部材１９によってパラペット３に固定されている。すなわち、既設防水シート２０の端部２０ａは、既設鋼板１８を介してパラペット３に固定されている。既設鋼板１８は、例えば表面に塩ビコーティングが施されている。既設鋼板１８の表面には、溶剤を用いた溶着又は加熱による融着等によって、既設防水シート２０の端部２０ａが接着されている。また、既設防水シート２０は、断熱材押さえ板１３の上面の略全面と、外部床２の周縁部２ａから立ち上がっている内側面３ａとに対し、接着剤１７によって密着されている。
【００２６】
接着剤１７としては、粘性を有する接着剤、すなわち粘着剤が用いられる。例えば、接着剤１７としては、ネオプレーンゴム系、ニトリルゴム系、アクリルゴム系、ブチルゴム系、ウレタンゴム系、又はゴムアスファルト系等の接着剤を用いることができる。また、接着剤１７として、粘性を有しない（硬化する）接着剤、例えばエポキシ系、アクリル系、又はウレタン系等の接着剤を用いてもよい。
【００２７】
ここで、溝部５周辺の構成の詳細を、図３の（ａ）を参照して説明する。図３の（ａ）は、既設の防水構造１における溝部５周辺を拡大して示す図である。図３の（ａ）に示すように、溝部５は、底面５ａと、側面５ｂと、上面５ｃとを有している。既設鋼板１８は、溝部５における側面５ｂ及び底面５ａと、パラペット３の内側面３ａとに沿って配設されている。
【００２８】
具体的に、既設鋼板１８は、水平片２１（第一片）と、垂直片２２（第二片）と、垂直片２３（第三片）と、を有している。水平片２１は、溝部５の底面５ａに当接している。垂直片２２は、水平片２１の一端２１ａから屈曲して立ち上がっている。垂直片２２は、溝部５の側面５ｂに当接している。垂直片２３は、水平片２１の他端２１ｂから屈曲して垂れ下がっている。垂直片２３は、パラペット３の内側面３ａと当接している。垂直片２２と垂直片２３とは、水平片２１に対して略直交する方向で且つ互いに反対方向に向かって屈曲している。垂直片２３の表面２３ａには、既設防水シート２０の端部２０ａが、上述したように溶剤を用いた溶着又は加熱による融着等によって接着されている。
【００２９】
既設鋼板１８には、通し孔１８ａが予め形成されている。既設鋼板１８は、通し孔１８ａに挿通されたネジ部材１９によって、パラペット３の内側面３ａに固定されている。ネジ部材１９は、プラグ部１９ａと、ネジ部１９ｂと、を有している。ネジ部材１９としては、例えばフィッシャープラグが用いられる。以上によって、改修前の既設の防水構造１が構成される。
【００３０】
次に、図２を参照して、本実施形態に係る防水改修方法による改修後の防水改修構造１Ａについて説明する。既設の防水構造１においては、経年劣化等により、例えば数十年後に防水改修が必要とされる。図２に示すように、防水改修構造１Ａは、図１に示す既設の防水構造１に対し、本実施形態に係る防水改修方法により、既設防水シート２０の上から新規防水シート４０を増し貼りし、防水層を改修した構造である。
【００３１】
防水改修構造１Ａは、既設の防水構造１の構成に加え、新規鋼板３０と、新規防水シート４０とを有している。また、防水改修構造１Ａの溝部５には、既設のシーリング７に代えて、新規のシーリング７Ａが打設されている。新規のシーリング７Ａは、既設のシーリング７と同様、ポリウレタン系の粘性材料で形成されている。
【００３２】
新規鋼板３０は、断面略Ｌ字状を有しており、溝部５に配設された既設鋼板１８に対し、ネジ３６によって固定されている。なお、溝部５付近の構成の詳細は、図４の（ｆ）を参照して後述する。
【００３３】
新規防水シート４０は、既設防水シート２０に重ね貼りされている。新規防水シート４０は、既設防水シート２０を介し、外部床２の全面を覆うと共に、外部床２の周縁からパラペット３の内側面３ａにおける所定の高さまでを覆っている。所定の高さとは、例えば溝部５の近傍の高さである。これにより、新規防水シート４０は、外部床２の防水層を形成している。新規防水シート４０は、既設防水シート２０と同様、例えば塩化ビニルシート、加硫ゴムシート、アスファルトシート、又はオレフィンシート等により形成されている。
【００３４】
新規防水シート４０の端部４０ａは、溝部５に配設された新規鋼板３０と固定されている。新規鋼板３０は、例えば表面に塩ビコーティングが施されている。新規鋼板３０の表面には、溶剤を用いた溶着又は加熱による融着等によって、新規防水シート４０の端部４０ａが接着されている。また、新規防水シート４０は、既設防水シート２０に対し、接着剤１５によって密着されている。接着剤１５としては、接着剤１７と同様の粘着剤が用いられる。
【００３５】
ここで、溝部５周辺の構成の詳細を、図４の（ｆ）を参照して説明する。図４の（ｆ）は、防水改修構造１Ａにおける溝部５周辺を拡大して示す図である。図４の（ｆ）に示すように、新規鋼板３０は、既設鋼板１８の水平片２１と、既設鋼板１８の垂直片２３上に位置する既設防水シート２０と、に沿って配設されている。
【００３６】
具体的に、新規鋼板３０は、水平片３１（第四片）と、垂直片３２（第五片）と、を有している。水平片３１は、既設鋼板１８の水平片２１の表面２１ｃに当接している。垂直片３２は、水平片３１の一端３１ａから屈曲している。垂直片３２は、既設防水シート２０を介して既設鋼板１８の垂直片２３と重なるように、既設防水シート２０の端部２０ａの表面２０ｃに当接している。垂直片３２の表面３２ａには、新規防水シート４０の端部４０ａが、上述したように溶剤を用いた溶着又は加熱による融着等によって接着されている。
【００３７】
新規鋼板３０には、通し孔３０ａが予め形成されている。通し孔３０ａは、既設鋼板１８の通し孔１８ａに挿通されたネジ部材１９との干渉を避ける位置に形成されている。すなわち、通し孔３０ａは、既設鋼板１８に対し新規鋼板３０を当接させた状態で既設鋼板１８の通し孔１８ａと重ならないような位置に形成されており、例えば通し孔１８ａよりも下方に位置している。新規鋼板３０は、通し孔３０ａに挿通されたネジ３６によって、既設鋼板１８及びパラペット３の内側面３ａに固定されている。
【００３８】
ネジ３６は、既設鋼板１８と新規鋼板３０とを結合する。ＡＬＣ用のネジに対し、熱処理によって硬度を増して形成されている。ネジ３６は、頭部３６ａと、ＡＬＣパネル用にネジ山が高く形成された軸部３６ｂと、先端部３６ｃと、を有している。先端部３６ｃは、例えば尖った形状を有している。また、先端部３６ｃには、切刃が形成されていてもよい。ネジ３６は、例えばタッピングネジ、又はドリルネジ等である。既設鋼板１８には、ネジ３６用の通し孔は形成されていない。ネジ３６の頭部３６ａに打撃が加えられることにより、既設鋼板１８の外側から既設鋼板１８に対してネジ３６が打ち込まれる。これにより、ネジ３６の先端部３６ｃは新規鋼板３０を貫通し、ネジ３６は、既設鋼板１８に螺合可能な位置まで到達する。
【００３９】
螺合可能な位置とは、ネジ３６と既設鋼板１８とが少なくとも係合する位置である。図５は、ネジ３６が既設鋼板１８に対して螺合可能となる位置の一例を示す概念図である。螺合可能な位置とは、具体的には、図５に示すように、ネジ３６の先端部３６ｃが既設鋼板１８の垂直片２３を貫通するまでには至らなくても、ネジ３６の先端部３６ｃによって形成された垂直片２３の窪み部２４とネジ３６の軸部３６ｂのネジ山とが噛み合う位置である。なお、螺合可能な位置とは、先端部３６ｃにネジ山が形成されている場合には垂直片２３の窪み部２４と先端部３６ｃのネジ山とが噛み合う位置であってもよい。
【００４０】
そして、このようにネジ３６が既設鋼板１８に螺合可能となった状態において、電動ドリル等でネジ３６が締め込まれている。これにより、既設鋼板１８には、嵌合孔１８ｂが形成されている。嵌合孔１８ｂは、ネジ３６が既設鋼板１８に打ち込まれるによって形成されているため、予め形成された通し孔よりもネジ３６との間の空隙が少ない。ネジ３６は、嵌合孔１８ｂに対し緊密に挿嵌され、噛み合った状態で締め込まれている。すなわち、既設鋼板１８とネジ３６とが互いに噛み合うように強固に固定されている。
【００４１】
次に、図３及び図４を参照して、本実施形態に係る防水改修方法の各工程について詳細に説明する。図３及び図４は、図１の既設の防水構造１に対して防水改修を行う工程を示す概念図である。図３の（ａ）に示すように、防水改修前の既設の防水構造１の溝部５には、シーリング７が打設されている。この防水構造１に対して本実施形態に係る防水改修方法を行う場合、まず図３の（ｂ）に示すように、シーリング７の除去を行う。続いて、図３の（ｃ）に示すように、新規鋼板３０を、既設鋼板１８の水平片２１の表面２１ｃと、既設防水シート２０の端部２０ａの表面２０ｃと、に沿うように配置する。すなわち、既設防水シート２０を介して既設鋼板１８と重なるように、既設防水シート２０の表面２０ｃ（すなわち既設鋼板１８との接着面とは反対側の表面）に対して新規鋼板３０を当接させる。そして、ネジ３６が新規鋼板３０を貫通するように、ネジ３６を新規鋼板３０の通し孔３０ａに挿通させ、ネジ３６の頭部３６ａに玄能等によって打撃を加える。
【００４２】
ネジ３６の頭部３６ａに打撃が加えられることにより、図４の（ｄ）に示すように、ネジ３６の先端部３６ｃが新規鋼板３０を貫通してネジ３６が既設鋼板１８に螺合可能となる位置までネジ３６が打ち込まれる。例えば、ネジ３６の先端部３６ｃが少なくとも既設鋼板１８に差し込まれた状態となっている。本実施形態では、図示するように、ネジ３６の先端部３６ｃが既設鋼板１８を貫通するまでネジ３６の頭部３６ａに打撃が加えられる。これにより、ネジ３６の先端部３６ｃが既設鋼板１８に対し保持される。なお、ネジ３６の頭部３６ａへの打撃によってネジ３６の先端部３６ｃが既設鋼板１８を貫通するまでには至らなくてもよく、例えば図５に示すように、ネジ３６の先端部３６ｃによって形成された既設鋼板１８の窪み部２４とネジ３６のネジ山とが噛み合う状態となっていてもよい。続いて、ネジ３６の先端部３６ｃが既設鋼板１８に対し保持された状態において、図４の（ｅ）に示すように、電動ドリル等によってネジ３６が回転されて締め込まれる。これにより、既設鋼板１８には、ネジ３６の軸部３６ｂと噛み合う嵌合孔１８ｂが形成されて、ネジ３６の軸部３６ｂが既設鋼板１８と螺合する。すなわち、ネジ３６と既設鋼板１８とが互いに強固に固定される。
【００４３】
続いて、図４の（ｆ）に示すように、既設鋼板１８に対し、ネジ３６の頭部３６ａを覆うように新規防水シート４０が重ね貼りされる。新規防水シート４０の端部４０ａは、垂直片３２の表面３２ａに対し、上述したように溶剤を用いた溶着又は加熱による融着等によって接着される。新規防水シート４０は、既設防水シート２０に対し、接着剤１５によって密着される。これにより、外部床２の防水層が形成され、防水改修が完了し、防水改修構造１Ａが構成される。
【００４４】
次に、本実施形態に係る防水改修方法及び防水改修構造１Ａの作用及び効果について、従来技術と比較して説明する。
【００４５】
従来、防水構造において防水改修を行う場合には、既設の防水シートを介して既設鋼板の上方に新規鋼板を重ねて、当該新規鋼板の上に新規の防水シートを重ね貼りすることがある。新規の固定板をネジ等で固定する際、例えば既設の固定板に予め形成された通し孔に挿通されたネジ等との干渉を避けるため、新規の固定板では、既設の固定板のネジ等とはずれた位置に設けられた通し孔を使用したり、別途、現場加工で新たな通し孔を設けたりする等の工夫をしなければ、新規の固定板の強固な固定は難しく、施工性が低下し易かった。
【００４６】
例えば、従来の防水改修における施工では、まず、ハンマードリルによって既設鋼板及び新規鋼板の両方を貫通し、さらにＡＬＣパネルによって構成されるパラペットに通し孔を形成する。続いて、十分な固定強度を保つことを目的として、パラペットに形成された通し孔にエポキシ接着剤を注入する。続いて、エポキシ接着剤が注入された通し孔にネジ部材を差し込み、ハンマーで軽く打ち込む。続いて、電動ドリルによりプラグビス等のネジ部材を回転して締め込む。以上のように、十分な固定強度を保つように既設鋼板を固定するためには、まず既設鋼板及び新規鋼板の両方に通し孔を形成し、形成された通し孔にエポキシ接着剤を注入する等の多くの手間がかかっており、施工性が良くなかった。
【００４７】
この問題に対し、本実施形態に係る防水改修方法によれば、ネジ３６の頭部３６ａに打撃を加え、ネジ３６が既設鋼板１８に螺合可能となる位置まで到達させ、その後、ネジ３６を回転して締め込むため、既設鋼板１８に対しネジ３６の先端部３６ｃが横滑りし難く、従来よりも施工の手間をかけずに既設鋼板１８に新規鋼板３０を固定することができる。さらに、ネジ３６と既設鋼板１８とが互いに噛み合うように固定されるので、強固な固定を実現し易い。従って、この防水改修方法によれば、既設鋼板１８に対する新規鋼板３０の強固な固定と施工性の向上とを両立し易くなる。
【００４８】
さらに、本実施形態では、打撃を加える工程において、ネジ３６の先端部３６ｃが既設鋼板１８を貫通するまで、ネジ３６の頭部３６ａに打撃が加えられるため、貫通によって先端部３６ｃが既設鋼板１８に保持された状態となり、既設鋼板１８に対しネジ３６の先端部３６ｃがより横滑りし難いので、施工性の向上に有利である。なお、ネジ３６は、ＡＬＣ用のネジに対し、熱処理によって硬度を増して形成されているため、既設鋼板１８を貫通するのに好適である。また、ネジ３６は、ＡＬＣ用にネジ山が高く形成された軸部３６ｂを有することにより、パラペット３を構成するＡＬＣパネルに対し適切な施工が可能である。さらに、ネジ３６の先端部３６ｃが尖った形状であるため、既設鋼板１８を貫通するのに好適である。また、ネジ３６の先端部３６ｃに切刃が形成されている場合には、既設鋼板１８をより貫通し易くすることができる。
【００４９】
また、本実施形態では、新規鋼板３０の水平片３１が、溝部５の底面５ａに当接する既設鋼板１８の水平片２１に当接されることにより、既設鋼板１８の水平片２１を介し、床下地４の周縁部に沿って延在する溝部５の底面５ａに係止される。この状態となった後で、ネジ３６の頭部３６ａに打撃が加えられるため、打撃により新規鋼板３０の位置が鉛直方向にずれることを防止することができ、精度良く新規鋼板３０を固定することができる。
【００５０】
また、本実施形態では、既設鋼板１８が断面略Ｚ字状を有している一方、新規鋼板３０が断面略Ｌ字状を有している。すなわち、既設鋼板１８は、既設防水シート２０を固定するための垂直片２３と、溝部５からの水の浸入を防ぐための垂直片２２とを有するのに対し、新規鋼板３０は、新規防水シート４０を固定するための垂直片３２を有している一方、溝部５からの水の浸入を防ぐための垂直片を有していない。これは、既設鋼板１８の垂直片２２によって既に溝部５からの水の浸入を防ぐことができているため、同様の機能を有する垂直片を新規鋼板に形成する必要がないためである。このように、新規鋼板３０には溝部５からの水の浸入を防ぐための垂直片が形成されていないため、溝部５の底面５ａに新規鋼板３０の水平片３１を当接し易く配設が容易であると共に、溝部５付近の納まりも良くすることができる。
【００５１】
また、本実施形態に係る防水改修構造１Ａによれば、既設鋼板１８は、ネジ３６と噛み合う嵌合孔１８ｂを有しているため、ネジ３６と既設鋼板１８とが互いに噛み合うように固定され、十分な固定強度を保つことができる。よって、この防水改修構造１Ａは、上述の防水改修方法によって実現でき、施工性の向上を実現した結果であると共に、既設鋼板１８に対する新規鋼板３０の強固な固定を実現できる。
【００５２】
以上、本発明を実施形態に基づいて説明したが、本発明は上記実施形態に限定されない。
【００５３】
例えば、上記実施形態では、パラペット３の内側面３ａにおける防水改修方法を説明したが、これに限られず、本発明に係る防水改修方法は、種々の建物外装面に適用可能である。
【００５４】
上記実施形態では、ネジ３６の頭部３６ａに打撃が加えられる工程において、ネジ３６の先端部３６ｃが既設鋼板１８を貫通するまでネジ３６の頭部３６ａに打撃が加えられているが、これに限られない。当該工程においては、ネジ３６が少なくとも既設鋼板１８と螺合可能となる位置までネジ３６の頭部３６ａに打撃が加えられていればよい。
【００５５】
上記実施形態では、新規鋼板３０には通し孔３０ａが形成されているが、通し孔３０ａが形成されていなくてもよく、ネジ３６の頭部３６ａに打撃が加えられることにより新規鋼板３０にネジ３６が螺合する孔が空けられてもよい。この場合、例えばネジ３６の頭部３６ａに打撃が加えられる工程において、ネジ３６の先端部３６ｃが新規鋼板３０を貫通し且つ少なくとも既設鋼板１８にネジ３６が螺合可能となる位置まで打撃が加えられてもよい。そして、これによりネジ３６が保持された状態で、ネジ３６が締め込まれてもよい。このように、ネジ３６の頭部３６ａに打撃が加えられることによって新規鋼板３０を貫通した状態でネジ３６が締め込まれる場合、既設鋼板１８に対してだけでなく新規鋼板３０に対してもネジ３６が噛み合うように固定されるため、固定強度をより高めることができる。
【符号の説明】
【００５６】
２…外部床、３ａ…内側面（立ち上がり面）、５…溝部、５ａ…底面、５ｂ…側面、８…目地モルタル（周縁部）、１８…既設鋼板、１８ｂ…嵌合孔、２０…既設防水シート、２０ｃ…表面、２１…水平片（第一片）、２１ａ…一端、２１ｂ…他端、２２…垂直片（第二片）、２３…垂直片（第三片）、３０…新規鋼板、３１…水平片（第四片）、３１ａ…一端、３２…垂直片（第五片）、３６…ネジ、３６ａ…頭部、３６ｃ…先端部、４０…新規防水シート。
【図１】
0006567341.tif 000002
【図２】
0006567341.tif 000003
【図３】
0006567341.tif 000004
【図４】
0006567341.tif 000005
【図５】
0006567341.tif 000006